(57)【要約】【課題】印字ごとに媒体を巻き戻したり、印字部を表示部に設けるといったことなく、媒体に対し余白を形成しないで印字できるようにする。【解決手段】機器本体と、この機器本体に支軸部を介して設けられ、前記支軸部を中心として回動することにより前記機器本体の上面部に沿って倒れる状態と該上面部側から起立する状態とに姿勢を変更するタッチパネル式表示部と、前記機器本体内に設けられ、前記タッチパネル式表示部のタッチ操作に基づいて媒体に印字する印字手段と、前記タッチパネル式表示部にその支軸部に近接して設けられ、前記印字手段により印字された前記媒体を排出させる排出口とを具備する。【選択図】  図３
2012181763.tif 000002
【特許請求の範囲】
【請求項１】
機器本体と、
この機器本体に支軸部を介して設けられ、前記支軸部を中心として回動することにより前記機器本体の上面部に沿って倒れる状態と該上面部側から起立する状態とに姿勢を変更するタッチパネル式表示部と、
前記機器本体内に設けられ、前記タッチパネル式表示部のタッチ操作に基づいて媒体に印字する印字手段と、
前記タッチパネル式表示部にその支軸部に近接して設けられ、前記印字手段により印字された前記媒体を排出させる排出口と
を具備することを特徴とする電子機器。
【請求項２】
前記印字手段は、前記排出口に近接して設けられることを特徴とする請求項１記載の電子機器。
【請求項３】
前記タッチパネル式表示部の姿勢に応じて前記印字手段の媒体に対する印字方向を反転させることを特徴とする請求項１記載の電子機器。
【発明の詳細な説明】
【技術分野】
【０００１】
この発明は、例えば、ＰＯＳ（Point of Sales）端末として用いられる電子機器に関する。
【背景技術】
【０００２】
この種の電子機器には、その機器本体の内部に印字ヘッドとプラテンとからなる印字部を備えるとともに、機器本体の上面部側にタッチパネル式の店員用の表示部と、顧客用の表示部を備えるものある。
【０００３】
この電子機器においては、店員用、或いは顧客用の表示部がタッチ操作されるのに基づいて印字ヘッドにより媒体に印字し、この印字した媒体を排出口からレシートとして排出するようになっている。
【０００４】
しかしながら、従来においては、店員用と顧客用の表示部をそれぞれ個別に備えていたため、構造的に複雑化し、コスト高になるという不都合があった。
【０００５】
そこで、機器本体に対し単一の表示部を支軸部を介して回動自在に取り付け、この表示部を支軸部を中心として回動させることにより、機器本体の上面部に沿って倒れる状態、或いは上面部から起立する状態に姿勢を切り替えて店員用、或いは顧客用の表示部として兼用できるようにしたものが開発されている。
【０００６】
しかしながら、この兼用できるようにしたものは、媒体の排出口を表示部の支軸部と反対側に設けていたため、媒体が印字されてから排出口へ搬送されるまでの距離が長くなり、媒体に長い余白ができ、無駄が生じてしまうという問題があった。
【０００７】
なお、媒体に余白ができないようにするには、印字ごとに媒体を巻き戻したり、或いは、表示部側に印字部を搭載して印字することが考えられる。
【０００８】
しかしながら、印字ごとに媒体を巻き戻した場合には、印字処理効率が低下し、また、表示部側に印字部を搭載した場合には、重量バランスが不安定になり、表示部の破損を引き起こす虞がある。
【先行技術文献】
【特許文献】
【０００９】
【特許文献１】特開２０１０−４９４２９号公報
【発明の概要】
【発明が解決しようとする課題】
【００１０】
本発明が解決しようとする課題は、印字ごとに媒体を巻き戻したり、印字部を表示部に設けることなく、媒体に対し余白を形成しないで印字できるようにした電子機器を提供することにある。
【課題を解決するための手段】
【００１１】
上記課題を解決するため、請求項１記載の発明は、機器本体と、この機器本体に支軸部を介して設けられ、前記支軸部を中心として回動することにより前記機器本体の上面部に沿って倒れる状態と該上面部側から起立する状態とに姿勢を変更するタッチパネル式表示部と、前記機器本体内に設けられ、前記タッチパネル式表示部のタッチ操作に基づいて媒体に印字する印字手段と、前記タッチパネル式表示部にその支軸部に近接して設けられ、前記印字手段により印字された前記媒体を排出させる排出口とを具備する。
【図面の簡単な説明】
【００１２】
【図１】本発明の一実施の形態であるＰＯＳ端末を示す斜視図。
【図２】図１のＰＯＳ端末を示す側面図。
【図３】図１のＰＯＳ端末を示す内部構成図。
【図４】図１のタッチパネル式表示部側が起立された状態を示す側面図。
【図５】図４のＰＯＳ端末をタッチパネル式表示部側から視た状態を示す図。
【図６】図４のＰＯＳ端末をタッチパネル式表示部の裏側から視た状態を示す図。
【発明を実施するための形態】
【００１３】
以下、この発明の一実施の形態について図面を参照して説明する。  
図１は、電子機器としてのＰＯＳ端末を示す斜視図で、図２はその側面図である。
【００１４】
ＰＯＳ端末は機器本体１を備え、この機器本体１の上面部は傾斜面となっており、この傾斜する上面部にタッチパネル式の表示部２が設けられている。このタッチパネル式の表示部２はその一端部側が支軸部（図６に示す）３を介して回動自在に機器本体１に取り付けられている。
【００１５】
タッチパネル式の表示部２は、支軸部３を中心にして回動されることにより、機器本体１の上面部に沿って倒れる状態、或いは、図３に想像線で示すように、略垂直に起立する状態に姿勢が切り替えられるようになっている。
【００１６】
即ち、タッチパネル式の表示部２は、店員によって使用される場合には、機器本体１の上面部に沿って倒れる状態、顧客によって使用される場合には、略垂直に起立する状態に姿勢が切り替えられる。
【００１７】
ところで、タッチパネル式の表示部２には、レシートを排出するための排出口７が、上記した支軸部３に近接する状態で設けられている。
【００１８】
また、機器本体１の内部には、図３に示すように、媒体としての用紙のロール紙９を収納するロール紙収納部１０が設けられ、さらに、ロール紙収納部１０から引き出される用紙９ａに印字する印字手段としての印字部５が設けられている。
【００１９】
機器本体１の上面部には、図６に示すように開閉蓋１７が設けられ、この開閉蓋１７を開放することにより、ロール紙収納部１０内にロール紙９を収納することができるようになっている。
【００２０】
印字部５は、上記したタッチパネル式の表示部２の排出口７に近接して設けられ、プラテン１２と、このプラテン１２に対向配置される印字ヘッド１３とから構成される。用紙９ａはプラテン１２と印字ヘッド１３との間に介在され、プラテン１２の回転により搬送される。
【００２１】
また、印字部５の用紙搬送方向下流側には印字された用紙を所定寸法に切断するカッタ部（図示しない）、とこの切断された用紙（レシート９ｂ）を排出口７に導くガイド体１４が回動自在に設けられている。
【００２２】
タッチパネル式の表示部２は、機器本体１の上面部に沿って倒れる状態の場合には、その排出口７を上部側に位置させ、ガイド体１４は、レシート９ｂを矢印ａで示すように排出口７に向かって案内する。
【００２３】
また、タッチパネル式の表示部２は、機器本体１の上面部から起立する状態の場合には、その排出口７を下部側に位置させ、ガイド体１４は、レシート９ｂを矢印ｂで示すように排出口７に向かって案内する。
【００２４】
また、印字部５は、タッチパネル式の表示部２が機器本体１の上面部に沿って倒れる状態の場合と、機器本体１の上面部から起立する状態の場合とで、媒体に対する印字方向を反転させるようになっている。即ち、図３に示すように、表示部２が倒れる状態の場合には、レシート９ｂの排出方向先端側から後端側に向かってイ、ロ、ハ、ニ、ホ…の順で印字され、起立した状態の場合には、レシート９ｂの排出方向先端側から後端側に向かって…ホ、ニ、ハ、ロ、イの順で印字され、店員にとっても顧客にとってもレシート９ｂの印字内容を読み取り易くしている。
【００２５】
なお、タッチパネル式の表示部２が機器本体１の上面部に沿って倒れる状態の場合と、機器本体１の上面部から起立する状態の場合とで、表示部２に表示される画面も反転されて、店員にとっても顧客にとっても画面の表示内容を読み取り易くしている。
【００２６】
次に、上記したＰＯＳ端末の使用方法について説明する。
【００２７】
まず、店員が使用する場合には、図１及び図２に示すように、タッチパネル式表示部２を機器本体１の上面部に沿って倒した状態にする。この状態でタッチパネル式表示部２を押圧操作する。この押圧操作に基づいてプラテン１２が回転されて用紙９ａが送り出され、この用紙９ａに印字ヘッド１３により情報が印字される。この印字された用紙９ａはガイド体１４によって矢印ａ方向に案内されて排出口７に送られ、所定量送り出されると、切断部で切断されてレシート９ｂとして排出される。
【００２８】
顧客が使用する場合には、図４〜図６に示すように、タッチパネル式表示部２を上方に回動させて機器本体１から起立した状態にして押圧操作する。この押圧操作により上記したと同様に印字動作が行なわれ、レシート９ｂが排出口７から矢印ｂで示すように下方に向かって排出される。
【００２９】
上記したように、この実施の形態によれば、タッチパネル式表示部２にその支軸部３に近接して排出口７を設けるとともに、この排出口７に近接して印字部５を設けるため、印字部５から排出口７までの距離を短くできる。
【００３０】
従って、印字ごとに用紙を巻き戻したり、或いは、タッチパネル式表示部側に印字部を搭載するといったことなく、用紙９ａに余白を形成しないで印字することが可能となる。
【００３１】
よって、印字処理効率が低下したり、タッチパネル式表示部の重量バランスが不安定になるといったことなく、良好に印字することができる。
【００３２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【符号の説明】
【００３３】
１…機器本体、２…タッチパネル式表示部、3…支軸部、Ｐ…用紙（媒体）、５…印字部（印字手段）、７…排出口。
【図１】
2012181763.tif 000003
【図２】
2012181763.tif 000004
【図３】
2012181763.tif 000005
【図４】
2012181763.tif 000006
【図５】
2012181763.tif 000007
【図６】
2012181763.tif 000008